(57)【要約】【課題】部品点数の増加や使用時の操作の手間の増大を伴わずに、内容物の不正な流出を抑制することが可能なエアゾール容器用吐出具を提供する。【解決手段】エアゾール容器２のマウンティングカップ２ｂに取り付けられる固定盤１０と、ステム２ｃに取り付けられるノズル３０と、固定盤１０に取り付けられてノズル３０を覆うとともに、押圧力の付与にてノズル３０を押し下げ可能な操作部２３を有するカバー部材２０と、を備えるエアゾール容器用吐出具１において、カバー部材２０は、カバー部材２０における側壁２５の正面側に形成された前方開口２５ｂと、前方開口２５ｂから突出する吐出筒３３ｅを少なくとも上方から覆うように側壁２５から突出するガード部２６と、を有することを特徴とする。【選択図】図１
2018070233.tif 000002
【特許請求の範囲】
【請求項１】
エアゾール容器のマウンティングカップに取り付けられる固定盤と、
前記エアゾール容器のステムに取り付けられるノズルと、
前記固定盤に取り付けられて前記ノズルを覆うとともに、押圧力の付与にて前記ノズルを押し下げ可能な操作部を有するカバー部材と、を備えるエアゾール容器用吐出具において、
前記カバー部材は、該カバー部材における側壁の正面側に形成された前方開口と、該前方開口から突出する前記ノズルの吐出筒を少なくとも上方から覆うように前記側壁から突出するガード部と、を有することを特徴とするエアゾール容器用吐出具。
【請求項２】
前記ガード部が、平坦な板状である、請求項１に記載のエアゾール容器用吐出具。
【請求項３】
前記ガード部が、前記前方開口から突出する前記吐出筒の上方に位置する上壁と、該吐出筒の側方に位置する横壁とを有する、請求項１に記載のエアゾール容器用吐出具。
【請求項４】
前記吐出筒の先端が、前記ガード部の先端よりも前方に位置している、請求項１〜３の何れか一項に記載のエアゾール容器用吐出具。
【発明の詳細な説明】
【技術分野】
【０００１】
本発明は、エアゾール容器に装着されるエアゾール容器用吐出具に関する。
【背景技術】
【０００２】
従来、内容物とともに加圧ガスを収容しておき、ステムを押し下げることで内容物を外部に吐出させるようにしたエアゾール容器としては、１つの容器内に一の内容物を収容するとともに１本のステムを有するシングルタイプの容器や、シングルタイプの容器を左右に並べて１組とした二連式タイプの容器（例えば特許文献１）の他、１つの容器内に２種類の内容物を別個に収容するとともに２本のステムを有する容器が知られている。
【０００３】
このようなエアゾール容器では、ステムに着脱自在に装着されるノズルを備えるとともに、ノズルの脱落を防止し、また、容器の装飾効果を高めるために、マウンティングカップに固定される固定盤と、該固定盤に着脱自在に取り付けられてノズルを覆うカバー部材とを備えた吐出具が装着されるのが一般的である。カバー部材には操作部が設けられ、この操作部に押圧力を付与することにより、ノズルを押し下げて内容物を外部に吐出させることができる。また、カバー部材の側壁に形成された前方開口からノズルの吐出筒が露出している。
【先行技術文献】
【特許文献】
【０００４】
【特許文献１】特開２００５−４１５１０号公報
【発明の概要】
【発明が解決しようとする課題】
【０００５】
しかしながら、このような吐出具を装着したエアゾール容器において、カバー部材の前方開口から突出しているノズルの吐出筒に、外部の物体との接触等により押下げ方向の力が加わると、ノズルが押し下げられて内容物が吐出口から流出してしまう虞がある。このような内容物の不正な流出を防止しようとした場合には、カバー部材に対して着脱可能なオーバーキャップを設けて、当該オーバーキャップでノズルの先端部分を外側から覆うという方法が考えられる。しかしながら、オーバーキャップを設けることで部品点数が増加してしまうのみならず、使用する度に着脱しなければならないという手間もかかるという点で、改善の余地があった。
【０００６】
それゆえ本発明は、部品点数の増加や使用時の操作の手間の増大を伴わずに、内容物の不正な流出を抑制することが可能なエアゾール容器用吐出具を提供することを目的とする。
【課題を解決するための手段】
【０００７】
本発明は、上記課題を解決するためになされたものであり、本発明のエアゾール容器用吐出具は、エアゾール容器のマウンティングカップに取り付けられる固定盤と、前記エアゾール容器のステムに取り付けられるノズルと、前記固定盤に取り付けられて前記ノズルを覆うとともに、押圧力の付与にて前記ノズルを押し下げ可能な操作部を有するカバー部材と、を備えるエアゾール容器用吐出具において、前記カバー部材は、該カバー部材における側壁の正面側に形成された前方開口と、該前方開口から突出する前記ノズルの吐出筒を少なくとも上方から覆うように前記側壁から突出するガード部と、を有することを特徴とする。
【０００８】
なお、本発明のエアゾール容器用吐出具にあっては、前記ガード部が、平坦な板状であることが好ましい。
【０００９】
また、本発明のエアゾール容器用吐出具にあっては、前記ガード部が、前記前方開口から突出する前記吐出筒の上方に位置する上壁と、該吐出筒の側方に位置する横壁とを有することが好ましい。
【００１０】
また、本発明のエアゾール容器用吐出具にあっては、前記吐出筒の先端が、前記ガード部の先端よりも前方に位置していることが好ましい。
【発明の効果】
【００１１】
本発明によれば、部品点数の増加や使用時の操作の手間の増大を伴わずに、内容物の不正な流出を抑制することが可能なエアゾール容器用吐出具を提供することが可能となる。
【図面の簡単な説明】
【００１２】
【図１】本発明の一実施の形態であるエアゾール容器用吐出具をエアゾール容器に装着した状態で示す側面視での断面図である。
【図２】図１に示すエアゾール容器用吐出具について、半部を断面で示す正面図である。
【図３】図１に示すエアゾール容器用吐出具の平面図である。
【図４】本発明の他の実施の形態であるエアゾール容器用吐出具をエアゾール容器に装着した状態で示す（ａ）は側面視での断面図であり、（ｂ）は正面図（半図）である。
【発明を実施するための形態】
【００１３】
以下、図面を参照して、本発明をより具体的に例示説明する。なお、本明細書、特許請求の範囲、要約書及び図面において、「正面側」とは、図１において、ノズルの吐出口が位置する側であり、「背面側」とは、その反対側である。また、「左側」、「右側」とは、正面側から背面側に向かって見る際の左右方向をいう。そして「上側」とは、図１において、エアゾール容器に対してノズルが位置する側であり、「下側」とは、その反対側である。
【００１４】
図１において、符号１は、本発明に従うエアゾール容器用吐出具（以下、単に「吐出具」と称す場合もある）の一実施形態であり、符号２は、吐出具１を装着するエアゾール容器（以下、単に「容器」と称す場合もある）である。吐出具１は、固定盤１０、カバー部材２０及びノズル３０を有している。
【００１５】
エアゾール容器２は、例えば金属製や合成樹脂製となる有底筒状の容器本体２ａに、金属製となるマウンティングカップ２ｂを、その外縁を巻き締め等して固着したものであり、その内部には２種類の内容物が別個に収容されている。また容器２は、それぞれの内容物の収容空間につながる総計２本のステム２ｃを有している。
【００１６】
マウンティングカップ２ｂの中央部には、その上面からステム２ｃを突出させるとともに平面視にてトラック状になる上段突起部２ｄと、上段突起部２ｄの長辺と略同一長さの直径を有し、上段突起部２ｄに連結する中段突起部２ｅと、中段突起部２ｅよりも大径であって中段突起部２ｅに連結する下段突起部２ｆとが設けられている。また、中段突起部２ｅの根元には環状となる中段凹部２ｇが設けられ、下段突起部２ｆの根元には環状となる下段凹部２ｈが設けられている。なお、上段突起部２ｄの平面視での形状は、矩形状でも楕円状でもよい。
【００１７】
図１に示すように、固定盤１０は、中央部に２本のステム２ｃを露出させる開口１１を有する天壁１２を備えている。開口１１は、上段突起部２ｄに対応する形状をなし平面視でトラック状となっていて、天壁１２の内縁には、上段突起部２ｄを取り囲むように垂下される内側環状壁１３を備えている。また、内側環状壁１３の下端においてその正面側及び背面側には、薄肉舌片１３ａを設けている。薄肉舌片１３ａは、固定盤１０をマウンティングカップ２ｂに装着する前は、内側環状壁１３に沿って下向きに延在するものであるが、装着によって図１に示すように径方向外側に向かって折り曲げられるものである。
【００１８】
天壁１２の外縁には、天壁１２から垂下される中間環状壁（垂直周壁）１４を設けている。中間環状壁１４は、ステム２ｃの軸方向と平行に上下方向に延在しており、マウンティングカップ２ｂの上段突起部２ｄ及び中段突起部２ｅを取り囲んでいる。中間環状壁１４の下端には、下段突起部２ｆの上面に接するとともに径方向外側に向けて延在する上部フランジ１５が設けられていて、上部フランジ１５の下面には、下段突起部２ｆと全周に亘って接する内部環状壁１５ａを設けている。図１に示すように、内部環状壁１５ａの内面には、マウンティングカップ２ｂの下段凹部２ｈに係合する凸部１５ｂを間欠状に設けている。なお、凸部１５ｂを、内部環状壁１５ａの全周に亘って設けてもよい。また、上部フランジ１５の外縁には、下方に向けて延在する外側環状壁１６ａと、外側環状壁１６ａの下端から径方向外側に延在する下部フランジ１６ｂとからなる段部１６を設けていて、下部フランジ１６ｂの外縁には、マウンティングカップ２ｂの外縁に向けて垂下される環状の外壁１７を設けている。図２に示すように、段部１６には、上部フランジ１５の一部、外側環状壁１６ａ、及び下部フランジ１６ｂの一部を切り欠く係合孔１８を設けている。なお係合孔１８は、固定盤１０の左側にも同様にして設けられている。
【００１９】
カバー部材２０は、ノズル３０の上方で水平方向に延在する頂壁２１を備えている。図３に示すように、頂壁２１には、その中央部から背面側に向かって頂壁２１の一部を取り除く切り欠き部２１ａを設けていて、切り欠き部２１ａの内縁には、下方に向けて延在する内側周壁２２を設けている。また、切り欠き部２１ａには、ノズル３０の押し下げに供する操作部２３を設けていて、操作部２３は薄肉のヒンジ２４を介して内側周壁２２に一体連結している。操作部２３の上面は下方に向けて湾曲していて、更に左右方向に向けて延在する滑り止め用のリブ２３ａ（本実施形態では３つ）を備えている。操作部２３は、上方からの押圧力の付与にてノズル３０を押し下げ可能とされている。
【００２０】
カバー部材２０には、頂壁２１の外縁から下方に向けて延在する外側周壁（側壁）２５を設けている。外側周壁２５の正面側は正面壁２５ａとなっており、この正面壁２５ａには、ノズル３０の吐出筒３３ｅを突出させる前方開口２５ｂを設けている。前方開口２５ｂの上方には、正面壁２５ａから前方に向けて突出するガード部２６が設けられている。本実施形態においてガード部２６は、水平方向に延在する平坦な板状である。また、図３に示すように本実施形態におけるガード部２６は、平面視では略矩形状であり、先端２６ａ側の角部は丸みを帯びている。ガード部２６は、前方開口２５ｂから突出するノズル３０の吐出筒３３ｅを、少なくとも上方から覆うものである。
【００２１】
本実施形態において、ガード部２６は、ノズル３０の吐出筒３３ｅを上方から覆っている。なお、図３に示すように、ガード部２６の長さ（水平方向の大きさ）は、平面視で吐出筒３３ｅの先端の吐出口３３ｄが視認できるように設定してもよいし、吐出筒３３ｅを完全に覆い隠すような長さに設定していてもよい。
【００２２】
外側周壁２５の側面側（左右側）には、外側周壁２５の下端から上方に向けて外側周壁２５を切り欠く一対の縦スリットが間隔を空けて設けられ、これらの縦スリットの間に弾性片２７を形成している。弾性片２７は、その上端において外側周壁２５に連結されるとともに下端が外側周壁２５の下端よりも下方に突出する板状に形成され、外側周壁２５への連結部分を支点として弾性変形することができる。また、弾性片２７の先端外壁面には外側突起２８を設けていて、これら弾性片２７及び外側突起２８で爪部Ｔが構成されている。外側突起２８の下端外側には傾斜面２８ａを設けている。なお、爪部Ｔは、外側周壁２５の左右両側に設けられていて、２つの爪部Ｔは、容器２の中心軸線Ｍを挟んで対向配置で設けられている。
【００２３】
図２に示すように、カバー部材２０の外側周壁２５の左右両側における下端には、爪部Ｔを挟む位置（計４箇所）にフランジ２５ｄを設けている。また、各爪部Ｔの外壁面には、フランジ２５ｄと同一の高さ位置に下フランジ２７ａを設けるとともに、下フランジ２７ａの上方に上フランジ２７ｂを設けている。これらのフランジ２５ｄ、下フランジ２７ａ及び上フランジ２７ｂは、操作部２３の操作時には、指掛け部として機能する。また、下フランジ２７ａ及び上フランジ２７ｂは、各爪部Ｔを内側に押圧する際の操作部としても機能する。
【００２４】
また、図２に示すように、各弾性片２７の内壁面には、後述するノズル３０の係止脚部３２ｉ（脚部）との接触を介して、弾性片２７の内側への押圧に伴いカバー部材２０を上昇させる案内突起２９を設けている。また、本実施形態では、前記係止脚部３２ｉは、やはり後述するように弾性片２７に向かう方向から下方へと曲がる屈曲部３２ｊを備え、案内突起２９は、下方に向かって外側に傾斜するとともに、屈曲部３２ｊと接触する傾斜面２９ａを備えている。なお、本実施形態では、案内突起２９は、頂壁２１の外縁から下方に向けて延在するリブ状の突起として構成されている。
【００２５】
図１に示すように、ノズル３０は、薄肉状のヒンジ３１を介して下部部材３２と上部部材３３とを一体連結したものであり、ヒンジ３１に沿って折り曲げて下部部材３２と上部部材３３とを組み合わせることで、図１〜図４に示す所定の形態をなすものである。
【００２６】
図１に示すように、下部部材３２は、板状となる基部３２ａの下面に、ステム２ｃの外径に対応する内径となる円筒部３２ｂを備えていて、円筒部３２ｂの内側には、貫通孔３２ｃを有する内部壁３２ｄを備えている。なお、円筒部３２ｂ、貫通孔３２ｃ、及び内部壁３２ｄからなる組みは、２つのステム２ｃを有する容器２に対応させて総計２組設けられている。基部３２ａの上面には環状部３２ｅが設けられている。また、図２に示すように環状部３２ｅの中央部には、間隔をあけて設けた一対の中間壁３２ｆを設けている。更に基部３２ａの上面正面側には、図１に示すように爪状の下部係合部３２ｇを設けている。
【００２７】
さらに、ノズル３０の基部３２ａの下面には、固定盤１０の中間環状壁１４の外周面によって上下方向に案内される案内筒部３２ｈを一体に設けている。案内筒部３２ｈは、ノズル３０がステム２ｃとともに上下に作動する際に、中間環状壁１４の外周面によって上下方向以外への移動が規制される。これにより、内容物の吐出時にノズル３０が上下に作動すると、ノズル３０の案内筒部３２ｈが中間環状壁１４の外周面によって上下方向に案内され、ノズル３０の作動安定性が高められる。なお、案内筒部３２ｈは、中間環状壁１４の外周面に摺動自在に構成することも可能である。また、ノズル３０に案内筒部３２ｈを設けたことにより、ノズル３０のステム２ｃへの装着が容易になる。すなわち、ノズル３０の装着に際しては、案内筒部３２ｈを中間環状壁１４に被せるように配置することができ、ノズル３０の水平方向の位置決めが容易になる。
【００２８】
図２に示すように、案内筒部３２ｈの下端には、その左右両側において係止脚部３２ｉを連設している。係止脚部３２ｉには、弾性片２７の内側に配置されるとともに該弾性片２７に向う方向から下方へと曲がる屈曲部３２ｊが形成されている。また、これらの係止脚部３２ｉには、固定盤１０の係合孔１８に挿入されて、該係合孔１８の内側縁部に係止される内側突起３２ｋを設けている。これらの係止脚部３２ｉを係合孔１８に挿入し、内側突起３２ｋによって固定盤１０の上部フランジ１５にアンダーカット係合させることで、ノズル３０のステム２ｃからの脱落を防止することができる。
【００２９】
図１に示すように、上部部材３３は、ヒンジ３１に沿って折り曲げることで、環状部３２ｅを内側に収めるとともにこれに覆い被さる箱状部３３ａを備えている。箱状部３３ａの中央部には、箱状部３３ａの内側を２つに区画する仕切壁３３ｂを設けている。また、箱状部３３ａの上面側には、側面視で半円状となる半円リブ３３ｃを設けている。本実施形態では、左右方向に間隔をあけて総計２つの半円リブ３３ｃを設けている。箱状部３３ａの正面側には、その先端開口を内容物の外界への吐出口３３ｄとする吐出筒３３ｅを設けている。吐出筒３３ｅの下側には、下部係合部３２ｇに対応する爪状となる上部係合部３３ｆを設けている。
【００３０】
環状部３２ｅと箱状部３３ａとが嵌め合わさることで、基部３２ａと箱状部３３ａとの内側には内部空間が形成される一方、仕切壁３３ｂは、対をなす中間壁３２ｆ間に挟まれて、この内部空間は、それぞれに貫通孔３２ｃがつながる２つの空間に区画される。更にこの２つの空間は、仕切壁３３ｂを越えた吐出口３３ｄ側の吐出筒３３ｅの内側において合流している。すなわち、２つ折り状態となったノズル３０の内側には、一対の円筒部３２ｂ側（ステム２ｃ側）では２つに分かれ、吐出口３３ｄ側では合流して１つになる通路Ｒが形成され、この通路Ｒにより一対の円筒部３２ｂの内側と吐出口３３ｄとが連ねられている。
【００３１】
上記のように構成される各部材を容器２に取り付けるにあたっては、まず固定盤１０をマウンティングカップ２ｂに装着する。次いで、２つ折り状態に組み立てたノズル３０を上方から、円筒部３２ｂをステム２ｃに位置合わせしつつ取り付ける。カバー部材２０を上方から、ノズル３０の吐出筒３３ｅを前方開口２５ｂより突出させつつ、爪部Ｔを係合孔１８に位置合わせした状態で押圧して、固定盤１０に装着する。爪部Ｔの外側突起２８が下部フランジ１６ｂの下面に係合することにより、カバー部材２０は固定盤１０に着脱自在に装着される。カバー部材２０が固定盤１０に装着されると、エアゾール容器２のステム２ｃに取り付けられたノズル３０はカバー部材２０により覆われる。
【００３２】
このようにして各部材を取り付けたエアゾール容器２から内容物を吐出させるには、操作部２３の上面に指を当てて下方に向けて押し下げる。そして、操作部２３がヒンジ２４を起点として揺動することで、操作部２３の下面が半円リブ３３ｃに押し当たり、ノズル３０とともに２本のステム２ｃを押し下げる。これにより、容器２内の２種類の内容物はそれぞれのステム２ｃから同時に噴出され、ノズル３０の内側に形成される通路Ｒを通して吐出口３３ｄから吐出される。
【００３３】
カバー部材２０は、爪部Ｔを径方向内側に押圧することで係合孔１８との係合が解除され、固定盤１０から取り外すことができる。ノズル３０はカバー部材２０とは別体に形成されてカバー部材２０に対して分離可能となっているので、カバー部材２０が固定盤１０から取り外されても、ノズル３０はステム２ｃに装着されたまま容器２の側に残り、外部に露出される。そして、外部に露出されたノズル３０を上方に向けて引き上げれば、ステム２ｃからノズル３０を簡単に取り外すことができる。その後は、ノズル３０の下部部材３２及び上部部材３３を相互に離反するように開くことでその内側が露出されるので、ノズル３０の内部に残った内容物を容易に洗浄することができる。
【００３４】
以上のように、本実施形態の吐出具１にあっては、カバー部材２０の前方開口２５ｂから突出しているノズル３０の吐出筒３３ｅを上方から覆うガード部２６を設けたことにより、吐出筒３３ｅに対して外部の物体等が上方から接触し難くなる。これにより、例えば流通時等において、意図せずノズル３０が押下げられて内容物が不正に流出することを抑制することができる。また、外部の物体の接触等に起因する吐出筒３３ｅの不正な変形も抑制することができる。また、オーバーキャップが不要であるため、部品点数が増加してしまうこともなく、使用する度にオーバーキャップを着脱する手間もかからないという利点がある。
【００３５】
本実施形態の吐出具１にあっては、吐出筒３３ｅの先端が、ガード部２６の先端２６ａ（前方側の端）よりも前方に位置していることが好ましく、これによれば、内容物を吐出する際に吐出口３３ｄが視認できるので、吐出位置の確認や吐出量の確認が容易になる。
【００３６】
ガード部２６は、図３に示す平面視において吐出筒３３ｅの、前方開口２５ｂから前方に突出する部分の長さ及び幅のそれぞれ半分以上を覆うことができる大きさとすることが好ましい。これによれば、内容物の不正な流出を抑制する効果をより確実に発揮することができる。このような観点から、より好ましくは、ガード部２６は、平面視において吐出筒３３ｅの、前方開口２５ｂから前方に突出する部分の長さ及び幅のそれぞれ２／３以上を覆うことができる大きさとすることが好ましい。
【００３７】
図４（ａ）、（ｂ）は、本発明の他の実施の形態であるエアゾール容器用吐出具１００を示している。本実施形態では、吐出筒３３ｅの上方及び側方を覆うようにガード部１２６が設けられている。すなわち、ガード部１２６は、吐出筒３３ｅの上方に位置する上壁１２６ｂと、上壁１２６ｂに連なり、吐出筒３３ｅの両側の側方に位置する横壁１２６ｃとを有する。なお、本実施形態においても、吐出筒３３ｅの先端が、ガード部１２６の先端１２６ａよりも前方に位置している。
【００３８】
このように、ガード部１２６が吐出筒３３ｅの上方及び側方を覆うように設けられていることにより、外部の物体の接触を、上方のみならず側方からも防止することができる。そのため、吐出筒３３ｅの不正な変形や内容物の不正流出の抑制効果を高めることができる。また、正面壁２５ａから突出する横壁１２６ｃが、上壁１２６ｂに対して直交するように連結されていることより、上壁１２６ｂのみの場合よりもガード部１２６自体の強度が高まる。これにより、ガード部１２６が変形し難くなるため、吐出筒３３ｅの不正な変形の抑制効果、及び内容物の不正流出の抑制効果を高めることができる。
【００３９】
本発明は前記実施の形態に限定されるものではなく、その要旨を逸脱しない範囲で種々変更可能であることはいうまでもない。
【００４０】
例えば本実施形態では、マウンティングカップ２ｂの下段凹部２ｈに、固定盤１０の凸部１５ｂを係合するようにしたが、中段凹部２ｇに係合させてもよい。
【００４１】
さらに、本実施形態の仕切壁３３ｂは、箱状部３３ａ内を２つに区画して吐出筒３３ｅの根元を越えて延在しているが、内容物の種類によっては、更に吐出口３３ｄまで延在させて通路Ｒの全域を２つに分けても、また、仕切壁３３ｂを取り除いてノズル３０の内部全体を１つの通路にしてもよい。
【００４２】
さらに、本実施形態の吐出具１は、２本のステム２ｃを有する容器２に装着するように構成したが、二連式タイプの容器またはシングルタイプの容器に採用することもできる。
【符号の説明】
【００４３】
１      エアゾール用吐出具
２      エアゾール容器
２ａ    容器本体
２ｂ    マウンティングカップ
２ｃ    ステム
２ｄ    上段突起部
２ｅ    中段突起部
２ｆ    下段突起部
２ｇ    中段凹部
２ｈ    下段凹部
２ｉ    シュリンクラベル
１０    固定盤
１１    開口
１２    天壁
１３    内側環状壁
１３ａ  薄肉舌片
１４    中間環状壁（垂直環状壁）
１５    上部フランジ
１５ａ  内部環状壁
１５ｂ  凸部
１６    段部
１６ａ  外側環状壁
１６ｂ  下部フランジ
１７    外壁
１８    係合孔
２０    カバー部材
２１    頂壁
２１ａ  切り欠き部
２２    内側周壁
２３    操作部
２３ａ  リブ
２４    ヒンジ
２５    外側周壁（側壁）
２５ａ  正面壁
２５ｂ  前方開口
２５ｄ  フランジ
２６    ガード部
２６ａ  ガード部の先端
２７    弾性片
２７ａ  下フランジ
２７ｂ  上フランジ
２８    外側突起
２８ａ  傾斜面
２９    案内突起
２９ａ  傾斜面
３０    ノズル
３１    ヒンジ
３２    下部部材
３２ａ  基部
３２ｂ  円筒部
３２ｃ  貫通孔
３２ｄ  内部壁
３２ｅ  環状部
３２ｆ  中間壁
３２ｇ  下部係合部
３２ｈ  案内筒部
３２ｉ  係止脚部（脚部）
３２ｊ  屈曲部
３２ｋ  内側突起
３３    上部部材
３３ａ  箱状部
３３ｂ  仕切壁
３３ｃ  半円リブ
３３ｄ  吐出口
３３ｅ  吐出筒
３３ｆ  上部係合部
１００  エアゾール用吐出具
１２６  ガード部
１２６ａ  ガード部の先端
１２６ｂ  上壁
１２６ｃ  横壁
Ｍ      エアゾール容器の中心軸線
Ｔ      カバー部材の爪部
Ｒ      ノズルの通路
【図１】
2018070233.tif 000003
【図２】
2018070233.tif 000004
【図３】
2018070233.tif 000005
【図４】
2018070233.tif 000006